(57)【特許請求の範囲】
【請求項１】
第一部材と重なる第二部材を前記第一部材側から進入するビスを前記第二部材に螺合して接合する接合構造であって、
前記第一部材と前記第二部材とは、前記ビスの進入方向と交差する交差方向に互いに間隔を隔てた位置にて、前記進入方向において対向する進入方向対向部を各々複数有しており、
前記第二部材の前記進入方向対向部が、前記第一部材の前記進入方向対向部より前記進入方向において手前側に配置された状態で前記第一部材と前記第二部材とが接合されており、
前記第一部材の前記進入方向対向部と前記第二部材の前記進入方向対向部とは、前記第一部材と前記第二部材とが接合された状態で間隔を隔てて対向しており、
前記第一部材の前記進入方向対向部と前記第二部材の前記進入方向対向部との前記間隔は、
前記第二部材に螺合される前記ビスにより前記第二部材が前記進入方向に押圧されて前記第二部材の前記進入方向対向部が前記第一部材の前記進入方向対向部に当接された状態で、前記ビスが前記第二部材に螺合可能な間隔であることを特徴とする接合構造。
【請求項２】
請求項１に記載の接合構造であって、
前記第一部材と前記第二部材とは、前記交差方向において互いに対向する交差方向対向部を各々有し、
前記第一部材の前記進入方向対向部は、当該第一部材の前記交差方向対向部から前記第二部材の前記交差方向対向部に向かって突出するとともに前記第二部材の前記進入方向対向部に向かって隆起する第一部材隆起部を備え、
前記第二部材の前記進入方向対向部は、当該第二部材の前記交差方向対向部から前記第一部材の前記交差方向対向部に向かって突出するとともに前記第一部材の前記進入方向対向部に向かって隆起する第二部材隆起部を備え、
前記第一部材と前記第二部材とが接合された状態で、前記第一部材隆起部は、前記第一部材の前記進入方向対向部が前記第二部材隆起部と対向する位置より先端側に位置していることを特徴とする接合構造。
【請求項３】
請求項１または請求項２に記載の接合構造であって、
前記進入方向において、前記第二部材に設けられた前記ビスの螺合部の手前には、前記螺合部に向かって漸次狭くなるように形成されたビス案内部が設けられていることを特徴とする接合構造。
【請求項４】
請求項２に記載の接合構造であって、
前記第一部材の前記進入方向対向部または前記第二部材の前記進入方向対向部のうちの少なくともいずれか一方は、前記第一部材隆起部または前記第二部材隆起部と傾斜面により繋がって隆起方向と反対側に窪む窪みを有し、
前記ビスが締め込まれる際に、前記第一部材隆起部または前記第二部材隆起部が、前記傾斜面により前記窪みに案内されて前記第一部材と前記第二部材とが位置決めされることを特徴とする接合構造。
【発明の詳細な説明】
【技術分野】
【０００１】
本発明は、２つの部材を接合する接合構造に関する。
【背景技術】
【０００２】
２つの部材の接合構造としては、例えば、重なり合う２つの部材のうちの一方の部材側から進入するビスを他方の部材に螺合して、２つの部材を接合する接合構造が知られている。
【発明の概要】
【発明が解決しようとする課題】
【０００３】
上記のような接合構造では、接合する前の二つの部材は重なっているだけなので、一方の部材側から進入したビスが他方の部材に螺合される際に、他方の部材がビスに押されて一方の部材から離れる方向に移動してしまうと、他方の部材にビスを螺合することができない。このため、作業者はビスを一方側から進入させつつ、他方の部材を、ビスの進入方向と反対方向に押さえている必要がある。このため、高所に位置する部材同士を下方からビスを進入させて固定する場合や、ビスが進入する側と反対側が、他の部材で塞がれている場合など、ビスの進入する側と反対側の部材を押さえることができず、一方側からの作業により２つの部材を接合することができないという課題がある。
【０００４】
本発明は、かかる課題に鑑みてなされたものであり、その目的とするところは、重なり合う２つの部材を一方側からの作業により容易に接合することが可能な接合構造を提供することにある。
【課題を解決するための手段】
【０００５】
かかる目的を達成するために本発明の接合構造は、第一部材と重なる第二部材を前記第一部材側から進入するビスを前記第二部材に螺合して接合する接合構造であって、前記第一部材と前記第二部材とは、前記ビスの進入方向と交差する交差方向に互いに間隔を隔てた位置にて、前記進入方向において対向する進入方向対向部を各々複数有しており、前記第二部材の前記進入方向対向部が、前記第一部材の前記進入方向対向部より前記進入方向において手前側に配置された状態で前記第一部材と前記第二部材とが接合されており、前記第一部材の前記進入方向対向部と前記第二部材の前記進入方向対向部とは、前記第一部材と前記第二部材とが接合された状態で間隔を隔てて対向しており、前記第一部材の前記進入方向対向部と前記第二部材の前記進入方向対向部との前記間隔は、前記第二部材に螺合される前記ビスにより前記第二部材が前記進入方向に押圧されて前記第二部材の前記進入方向対向部が前記第一部材の前記進入方向対向部に当接された状態で、前記ビスが前記第二部材に螺合可能な間隔であることを特徴とする接合構造である。
【０００６】
このような接合構造によれば、重なっている第一部材と第二部材が各々複数有している進入方向対向部が、第一部材と第二部材とが接合されている状態では、第二部材の進入方向対向部が、第一部材の進入方向対向部より進入方向において手前側に配置されているので、第二部材にビスが螺合される際に、ビスにより第二部材が進入方向に押されたとしても、第二部材の進入方向対向部が第一部材の進入方向対向部に係合することにより第二部材の進入方向側への移動が規制される。このため、第二部材を第一部材側に押さえることなく第一部材と第二部材とを第一部材側からの作業により容易に接合することが可能である。このとき、第一部材と第二部材とに複数設けられた進入方向対向部同士は、交差方向における互いに間隔を隔てた位置にて進入方向において対向するので、ビスにより押圧されたとしても第二部材が第一部材に対して大きく傾かない。このため、第二部材が安定した状態を維持したままで第一部材と接合することが可能である。
【０００８】
また、第一部材と第二部材とが接合される前に、ビスにより第二部材が押圧されて第二部材が、第二部材の進入方向対向部が第一部材の進入方向対向部に係合する位置まで移動したとしても、ビスは第二部材に螺合可能なので、確実に第一部材と第二部材とを接合することが可能である。
【０００９】
かかる接合構造であって、前記第一部材と前記第二部材とは、前記交差方向において互いに対向する交差方向対向部を各々有し、前記第一部材の前記進入方向対向部は、当該第一部材の前記交差方向対向部から前記第二部材の前記交差方向対向部に向かって突出するとともに前記第二部材の前記進入方向対向部に向かって隆起する第一部材隆起部を備え、  前記第二部材の前記進入方向対向部は、当該第二部材の前記交差方向対向部から前記第一部材の前記交差方向対向部に向かって突出するとともに前記第一部材の前記進入方向対向部に向かって隆起する第二部材隆起部を備え、前記第一部材と前記第二部材とが接合された状態で、前記第一部材隆起部は、前記第一部材の前記進入方向対向部が前記第二部材隆起部と対向する位置より先端側に位置していることが望ましい。
【００１０】
このような接合構造によれば、第一部材と前記第二部材とが接合された状態では、第一部材隆起部は、第一部材の進入方向対向部が第二部材隆起部と対向する位置より先端側に位置している。このとき、第二部材隆起部は、第二部材の進入方向対向部が第一部材隆起部と対向する位置より先端側に位置している。このため、第一部材と第二部材とが接合されるときに、第二部材の進入方向対向部が第一部材の進入方向対向部に係合すると、第一部材隆起部と第二部材隆起部とにより第一部材と第二部材との交差方向への相対移動が規制され、第一部材と第二部材との係合が外れ難いので、第一部材と第二部材とを、より容易に接合することが可能である。
【００１１】
かかる接合構造であって前記進入方向において、前記第二部材に設けられた前記ビスの螺合部の手前には、前記螺合部に向かって漸次狭くなるように形成されたビス案内部が設けられていることが望ましい。
【００１２】
このような接合構造によれば、第一部材側から進入するビスが第二部材のビス螺合部に螺合される前に、その手前に設けられたビス案内部に係合する。係合したビス案内部は手前側から奥側に向かって漸次狭くなるように形成されているので、ビスを進入させることにより、第一部材と第二部材とを適切な位置に配置して接合することが可能である。
【００１３】
かかる接合構造であって、前記第一部材の前記進入方向対向部または前記第二部材の前記進入方向対向部のうちの少なくともいずれか一方は、前記第一部材隆起部または前記第二部材隆起部と傾斜面により繋がって隆起方向と反対側に窪む窪みを有し、前記ビスが締め込まれる際に、前記第一部材隆起部または前記第二部材隆起部が、前記傾斜面により前記窪みに案内されて前記第一部材と前記第二部材とが位置決めされることが望ましい。
【００１４】
このような接合構造によれば、第一部材または第二部材の進入方向対向部には、第一部材隆起部または第二部材隆起部と傾斜面により繋がって隆起方向と反対側に窪む窪みが設けられているので、第一部材と第二部材とが接合されるときに、第一部材隆起部または第二部材隆起部を、傾斜面により繋がった窪みに案内しつつ接合することが可能である。このため、第一部材と第二部材とを、より正確に位置決めして接合することが可能である。
【発明の効果】
【００１５】
本発明によれば、重なり合う２つの部材を一方側からの作業により容易に接合することが可能な接合構造を提供することが可能である。
【図面の簡単な説明】
【００１６】
【図１】本実施形態に係る接合構造を用いた改装用建具の外観図である。
【図２】改装用建具の横断面図である。
【図３】図２におけるＡ−Ａ断面図である。
【図４】図３におけるＦ部の拡大図である。
【図５】図２におけるＢＣＤＥ断面図である。
【図６】図５におけるＧ部の拡大図である。
【図７】ブラケットおよびブラケットの取り付け部を示す斜視図である。
【図８】本実施形態に係る改装用建具の構成を示す斜視図である。
【図９】上額縁の取り付け方法を示す図である。
【発明を実施するための形態】
【００１７】
以下、本発明に係る接合構造の一実施形態について、本接合構造により接合された上枠と上額縁を有する改装用建具を例に挙げて図面を参照して説明する。
本実施形態の改装用建具１は、例えば、玄関用建具の既設枠２のみを残した開口部に、図１〜図６に示すように建物３の外壁３ａより室外側に張り出して設けられた新設枠１０と、新設枠１０に装着される２枚の引戸障子４とを有し、引戸障子４が既設枠２に囲まれる領域の室外側の位置から外壁３ａと対向する位置まで移動可能な引込みタイプの改装用建具１である。
【００１８】
以下の説明においては、建物３等に取り付けられた状態の改装用建具１を室外側から見たときに、上下となる方向を上下方向、左右となり下枠が有するレールに沿う方向を左右方向、室内外方向である奥行き方向を見込み方向として示す。改装用建具１の各部位であっても、また、改装用建具１を構成する各部材については単体の状態であっても、建物３等に取り付けられた状態にて上下方向、左右方向、見込み方向となる方向にて方向を特定して説明する。
【００１９】
改装用建具１は、２枚の引戸障子４と、建物３等に外壁３ａより張り出して設けられる新設枠１０と、を備えている。
新設枠１０は、左右に設けられている既設縦枠２ａの内側に固定金具９（図８）を介して固定される新設方立１１及び新設縦枠１２と、既設下枠２ｂに上方から固定される新設下枠１３と、既設上枠２ｃの下方から固定金具９を介して固定される第一部材としての新設上枠１４と、新設方立１１と外壁３ａとの間を覆う方立額縁１５と、新設縦枠１２の室外に臨む面および新設縦枠１２と外壁３ａとの間を覆う縦額縁１６と、新設上枠１４の室外に臨む面および新設上枠１４と外壁３ａとの間を覆う第二部材としての上額縁１７と、新設上枠１４の室外側の部位をなす新設外上枠１４２を固定するためのブラケット１８と、を有している。以下の説明においては、既設枠２に囲まれる内側および矩形状に接合された新設方立１１、新設縦枠１２、新設下枠１３、新設上枠１４に囲まれる領域の内側を、単に内側または内周側とし、反対側を単に外側または外周側として説明する。
【００２０】
新設方立１１、新設縦枠１２および新設上枠１４を固定する固定金具９は、いずれも共通の部材であり、新設方立１１、新設縦枠１２および新設上枠１４が有する外周側の面と対面させてビス止めされる新設枠側固定部９ａと、既設縦枠２ａおよび既設上枠２ｃが有する内周側の面との間に介在される飼い木６と対面させてビス止めされる既設枠側固定部９ｂと、新設枠側固定部９ａの室内側の端と既設枠側固定部９ｂの室外側の端とを、新設枠側固定部９ａおよび既設枠側固定部９ｂとほぼ直交するように連結する連結部９ｃとを有し、例えば、鋼板を段曲げした形状をなしている。
【００２１】
本改装用建具１では、２枚の引戸障子４が新設方立１１より左側まで移動可能に形成されて、引戸障子４の一部が外壁３ａと対向する位置まで引き込まれるように構成されており、新設縦枠１２は引戸障子４を閉じた際に戸先部４ａと係合する戸当たりをなしている。このため、新設方立１１は、新設縦枠１２より既設縦枠２ａから室外側に突出する突出量が小さく、新設方立１１の室外側を２枚の引戸障子４が、新設下枠１３および新設上枠１４のレール１３３、１４２ｊに案内されて左右方向に移動するように構成されている。
【００２２】
新設下枠１３と新設上枠１４とは、新設方立１１と新設縦枠１２とが対向する部位間に設けられる新設内下枠１３１および新設内上枠１４１と、新設方立１１より室外側に設けられ新設内下枠１３１および新設内上枠１４１と接合される新設外下枠１３２および新設外上枠１４２とを有している。
【００２３】
新設内上枠１４１は、既設上枠２ｃよりも室外側に突出して設けられている。新設内上枠１４１は、断面がほぼ矩形状をなして上下方向におけるほぼ中央に横補強リブ１４１ａが設けられ、横補強リブ１４１ａの上下にそれぞれ新設内上枠１４１の長手方向に沿う中空部が設けられている。新設内上枠１４１の室内側における上端の角部には、新設枠側固定部９ａと連結部９ｃがなす角部が上方から重ねられて固定金具９がビス止めされている。
【００２４】
固定金具９がビス止めされた新設内上枠１４１は、連結部９ｃの室内側の面が、既設上枠２ｃに内周側に突出させて設けられ、取り外された既設扉の周端部に当接していたシール材の嵌合部２ｄの室外側の部位に当接されて位置決めされている。
【００２５】
また、既設上枠２ｃの内周側の面と、新設上枠１４に設けられた固定金具９の既設枠側固定部９ｂの外周側の面との間に、固定金具９と既設上枠２ｃの嵌合部２ｄとが干渉しないように飼い木６が設けられている。新設上枠１４にビス止めされた固定金具９は、既設枠側固定部９ｂが飼い木６、既設上枠２ｃ、既設額縁７を介して躯体５にビスにて固定されている。
【００２６】
新設内上枠１４１のほぼ鉛直をなす室外側の壁部１４１ｃは、上部側に新設外上枠１４２の室内側に設けられた上延出部１４２ａがシール材２１を介して押圧され、上下方向の中央近傍と下部側には室外側に突出されてその先端にてほぼ鉛直な面が形成され、新設外上枠１４２の室内側の壁部１４２ｂが当接される当接片１４１ｄが設けられている。下部側の当接片１４１ｄの下端からは室外側に向かってほぼ水平に延出され、新設外上枠１４２の室内側の部位がシール材２１を介して載置される外上枠載置部１４１ｅが設けられている。
【００２７】
新設内上枠１４１の室外側の壁部１４１ｃの室内側には、上下方向において互いに対向する溝１４１ｆを室外側の壁部１４１ｃとともに形成する一対の溝形成部１４１ｇが設けられており、新設外上枠１４２を固定するための後述するブラケット１８が上下の溝１４１ｆに沿うように挿入されて上下方向および見込み方向の移動が規制されるように構成されている。
【００２８】
新設内上枠１４１の室外側に取り付けられる新設外上枠１４２は、断面がほぼ矩形状をなし見込み方向におけるほぼ中央に縦補強リブ１４２ｃが設けられ、縦補強リブ１４２ｃの室内外側にそれぞれ新設外上枠１４２の長手方向に沿う中空部が設けられている。新設外上枠１４２の室内側における上端の角部は、中空部を形成する上面部１４２ｄが室内側に延出されており、延出された部位の縁には、下方に垂設された垂設片１４２ｅと、上方に延出された上延出部１４２ａとが設けられている。また、上延出部１４２ａの上端には、室外側に向かって低くなるように傾斜して延出された傾斜延出片１４２ｆが設けられている。傾斜延出片１４２ｆの先端には、下方側に隆起する第一部材隆起部としての枠隆起部１４２ｌが設けられている。
【００２９】
新設外上枠１４２の室内側には、室内側の中空部における室内側の壁部１４２ｂが、ほぼ鉛直をなすように設けられており、室内側の壁部１４２ｂの下端には、水平な面をなし室内側の壁部１４２ｂと共に中空部の角部をなす底部１４２ｇと繋がっている。
【００３０】
新設外上枠１４２のほぼ鉛直をなす室外側の壁部１４２ｈには、ほぼ水平をなして室外側に突出された外突出片１４２ｉが設けられており、外突出片１４２ｉの先端には下方側に隆起する第一部材隆起部としての枠隆起部１４２ｋが設けられている。また、室外側の壁部１４２ｈと底部１４２ｇとの間には、見込み方向に適宜間隔を隔てて引戸障子４を案内するレール１４２ｊが設けられている。
【００３１】
上額縁１７は、新設上枠１４の外壁３ａより室外側に突出した部位を覆う押出成形部材でなる上額縁本体１７１と、上額縁本体１７１の両端の小口に取り付けられる端部プレート１７２と、上額縁本体１７１と外壁３ａとの間を塞ぐ上閉塞プレート１７３とを有している。
【００３２】
上額縁本体１７１は、断面形状がほぼ台形状をなし長手方向に沿った中空部を有する上カバー部１７１ａと、上カバー部１７１ａの天面部１７１ｂから室内側に延出された上延出部１７１ｃと、上カバー部１７１ａの室外側の先端から垂設された室外垂設部１７１ｄとを有している。
【００３３】
上カバー部１７１ａは、断面形状の台形状における底辺に相当する底面部１７１ｅが、新設外上枠１４２の上方に位置し、底面部１７１ｅの室外側の部位から垂設された突起部１７１ｆと、底面部１７１ｅの室内側の端より室内側に延出された下延出部１７１ｖと、下延出部１７１ｖの先端から垂設された脚部１７１ｇと、下延出部１７１ｖの先端から上側に隆起された第二部材隆起部としての額縁隆起部１７１ｓと、を有している。突起部１７１ｆと脚部１７１ｇとは、上額縁１７が取り付けられたときに新設外上枠１４２の上面部１４２ｄ上に載置されるように構成されている。
【００３４】
上カバー部１７１ａには、底面部１７１ｅの上方に間隔を隔てて当該底面部１７１ｅと平行に設けられる天面部１７１ｂが室内側に設けられており、天面部１７１ｂから室外側に向かって高さが低くなる傾斜天部１７１ｈが設けられている。天面部１７１ｂは、室内側の上延出部１７１ｃと平坦に繋がっており、天面部１７１ｂと上延出部１７１ｃの境界部には、垂設されて中空部の室内側の壁を形成する垂設壁部１７１ｉが設けられている。垂設壁部１７１ｉの下端と、底面部１７１ｅの室内側の端との間には、室外側に窪む上カバー凹部１７１ｊが設けられている。
【００３５】
上カバー凹部１７１ｊは、新設内上枠１４１の室外側における上側の角部がシール材２１を介して押圧され、室外側に窪む段部１７１ｋと、室外側に窪む段部１７１ｋから更に室外側に窪み、新設内上枠１４１に取り付けられた新設外上枠１４２の傾斜延出片１４２ｆが挿入される挿入凹部１７１ｌが設けられている。挿入凹部１７１ｌを形成し段部１７１ｋから繋がる凹部上面部１７１ｍは、傾斜延出片１４２ｆと同様の傾斜を有しており、凹部上面部１７１ｍの先端に垂設された凹部垂設部１７１ｎの下端が底面部１７１ｅと繋がっている。
【００３６】
下延出部１７１ｖの先端から垂設された脚部１７１ｇは、凹部垂設部１７１ｎより室内側に設けられており、下延出部１７１ｖの凹部垂設部１７１ｎと額縁隆起部１７１ｓとの間は傾斜面１７１ｕにより繋がって僅かに下方に窪む窪み１７１ｑが設けられている。室外垂設部１７１ｄの室内側には、ほぼ水平に延出された上カバー延出片１７１ｏが設けられており、上カバー延出片１７１ｏの先端には、上側に隆起する第二部材隆起部としての額縁隆起部１７１ｒが設けられている。また、底面部１７１ｅの見込み方向におけるほぼ中央には、下面側に上額縁１７を新設外上枠１４２に固定するために下方から進入するビス２０が螺合されるビス螺合部１７１ｐが設けられている。本実施形態においては、下方から上方に向かう方向が進入方向に相当する。
【００３７】
ビス螺合部１７１ｐは、ビス２０が進入する手前側、すなわち下側から上側に向かって漸次狭くなるように形成されたビス案内部１７１ｔがビス螺合部１７１ｐの下側に設けられている。このため、ビス２０が上方に向かって進入する際に、ビス２０の中心が、ビス螺合部１７１ｐの中心から外れていたとしても、ビス案内部１７１ｔによりビス２０の中心とビス螺合部１７１ｐの中心とが近づくように上額縁１７が移動されるように構成されている。ここで、新設上枠１４の上延出部１４２ａ、室外側の壁部１４２ｈおよび上額縁１７の室外垂設部１７１ｄ、凹部垂設部１７１ｎが、ビス２０が進入する進入方向と交差する交差方向において対向する交差方向対向部に相当し、上延出部１４２ａ、室外側の壁部１４２ｈ、室外垂設部１７１ｄ、凹部垂設部１７１ｎから各々対向する部位に向かって突出している新設上枠１４の傾斜延出片１４２ｆ、外突出片１４２ｉおよび下延出部１７１ｖ、上カバー延出片１７１ｏが進入方向対向部に相当する。
【００３８】
上額縁１７は、上額縁本体１７１に端部プレート１７２が取り付けられて、突起部１７１ｆと脚部１７１ｇとが新設外上枠１４２の上面部１４２ｄ上に載置されるとともに、段部１７１ｋが新設内上枠１４１の室外側の上側の角部に当接される際に、新設外上枠１４２の傾斜延出片１４２ｆが挿入凹部１７１ｌに挿入される。このとき、凹部上面部１７１ｍが傾斜延出片１４２ｆに案内され、下延出部１７１ｖが傾斜延出片１４２ｆの下方すなわち進入方向における手前側に配置される。
また、このとき、上カバー延出片１７１ｏが新設外上枠１４２の外突出片１４２ｉの下方すなわち進入方向における手前側に配置される。このため、新設外上枠１４２上に上額縁１７を位置決めして、下方から新設外上枠１４２と上額縁１７とをビス止めするときに、ビス２０により上額縁１７が持ち上げられるが、上額縁１７は、傾斜延出片１４２ｆと外突出片１４２ｉとにより上昇が規制されるため、上額縁１７を上方から押さえなくとも新設上枠１４と上額縁１７とを接合できるように構成されている。
【００３９】
すなわち、新設外上枠１４２の外突出片１４２ｉと上額縁１７の上カバー延出片１７１ｏおよび新設外上枠１４２の傾斜延出片１４２ｆと上額縁１７の下延出部１７１ｖは、ビス２０の進入する方向となる上下に間隔Ｓが隔てられており、この間隔Ｓは、上額縁１７に螺合されるビス２０により上額縁１７が上方に押圧され、上カバー延出片１７１ｏが外突出片１４２ｉに、また、下延出部１７１ｖが傾斜延出片１４２ｆに当接された状態で、ビス２０がビス螺合部１７１ｐに螺合できるように設定されている。ここで、上額縁１７の突起部１７１ｆと脚部１７１ｇとが新設外上枠１４２の上面部１４２ｄ上に載置された状態おける外突出片１４２ｉと上カバー延出片１７１ｏとの間隔Ｓおよび傾斜延出片１４２ｆと下延出部１７１ｖとの間隔は、ビス２０により新設上枠１４と上額縁１７とが接合された際に、上額縁１７の突起部１７１ｆと脚部１７１ｇとが新設外上枠１４２の上面部１４２ｄ上に当接された状態と同じである。
【００４０】
上閉塞プレート１７３は、取り付けられた上額縁本体１７１と外壁３ａとの間を塞ぐべく、上額縁本体１７１と十分に重なる位置から外壁３ａに当接される位置に配置して上方から上額縁本体１７１にビス止めされる。上延出部１７１ｃおよび上閉塞プレート１７３には、現場のサイズに合わせて、見込み方向の長さを変更可能に厚みが薄く形成され長手方向に沿った線状薄肉部が複数設けられている。このため、上額縁本体１７１だけで、外壁３ａとの間を閉塞することができれば、上閉塞プレート１７３を用いることなく、上延出部１７１ｃを線状薄肉部にて適宜切断し、上延出部１７１ｃの切断後の先端を外壁３ａに当接させる。上閉塞プレート１７３が必要な場合には、上閉塞プレート１７３の先端を外壁３ａに当接させた状態で上延出部１７１ｃと重ねて上額縁本体１７１にビス止めされる。あるいは上閉塞プレート１７３を線状薄肉部にて適宜切断して上額縁本体１７１に固定すれば上額縁本体１７１と外壁３ａとの間を容易に塞ぐことができる。なお、上額縁本体１７１に取り付けられている端部プレート１７２も取り付け状態によって必要に応じ外壁３ａとの間を塞ぐべく端部プレート１７２の壁側を切断する等により調整して設ける。
【００４１】
新設外上枠１４２を固定するためのブラケット１８は、図７に示すように、新設内上枠１４１において上下に配置された一対の溝形成部１４１ｇに新設内上枠１４１の左の小口から挿入される内上枠挿入部１８ａと、内上枠挿入部１８ａが挿入されて新設内上枠１４１の小口から側方に突出するように設けられ内上枠挿入部１８ａと繋がった平板状の延出板部１８ｂと、延出板部１８ｂの下縁から室外側に延出されて新設外上枠１４２が下方からビス止めされるとともに新設外上枠１４２を下から支持する上枠支持部１８ｃとを有している。
【００４２】
上額縁１７の新設外上枠１４２への取り付けは、新設内下枠１３１と新設外下枠１３２とを接合した新設下枠１３と、新設方立１１及び新設縦枠１２と、新設内上枠１４１とを接合した新設枠ユニット１ａを、固定金具９により既設縦枠２ａ、既設上枠２ｃ、飼い木６、既設額縁７を介して躯体５に固定し、新設下枠１３を既設下枠２ｂおよび下地に上方から固定し、方立額縁１５、ブラケット１８、新設外上枠１４２、縦額縁１６を順次取り付けた後に行われる。
【００４３】
図９（ａ）、図９（ｂ）に示すように、まず、上閉塞プレート１７３を用いない場合、上額縁本体１７１の上延出部１７１ｃを現場サイズに合わせて切断しないか、あるいは適宜切断し、さらに端部プレート１７２を予め切断し現場のサイズに合わせて組み付けておく。また上閉塞プレート１７３を用いる場合、上閉塞プレート１７３をそのまま切断せずに現場のサイズに合わせて上額縁本体１７１に取り付け用いるか、現場のサイズに合わせて予めいずれかの線状薄肉部にて切断した状態で上額縁本体１７１に取り付けておく。
【００４４】
上額縁１７は、まず上方から新設外上枠１４２上に載置した後に、室内側に移動させる。このとき、上額縁１７の上カバー延出片１７１ｏの額縁隆起部１７１ｒは新設外上枠１４２の外突出片１４２ｉの枠隆起部１４２ｋより室外側、また、上額縁１７の下延出部１７１ｖの額縁隆起部１７１ｓは新設外上枠１４２の傾斜延出片１４２ｆの枠隆起部１４２ｌより室外側となる位置からそれぞれ室内側に移動される。
【００４５】
室内側に移動された上額縁１７は、段部１７１ｋが新設内上枠１４１の室外側の壁部１４１ｃの上端に当接される位置まで、または、凹部垂設部１７１ｎが新設内上枠１４１の傾斜延出片１４２ｆの先端に当接される位置まで、室内側へ移動して停止する。このとき、上額縁１７の上カバー延出片１７１ｏは新設外上枠１４２の外突出片１４２ｉの下に位置し、上額縁１７の下延出部１７１ｖが新設外上枠１４２の傾斜延出片１４２ｆの下に位置している。すなわち、交差方向において間隔を隔てた位置にて、上カバー延出片１７１ｏと外突出片１４２ｉとが上下方向に対向し、下延出部１７１ｖと傾斜延出片１４２ｆとが上下方向に対向しており、見込み方向において、対向している２つの部位の間にビス螺合部１７１ｐが配置されている。
【００４６】
位置決めされた上額縁１７は、新設外上枠１４２の下方から上面部１４２ｄを貫通するビス２０が上額縁１７の底面部１７１ｅに設けられたビス螺合部１７１ｐに螺合される。下方から進入するビス２０により上額縁１７には上方に押し上げる力が作用するが、押し上げられた上額縁１７の上カバー延出片１７１ｏが新設外上枠１４２の外突出片１４２ｉに係合し、上額縁１７の下延出部１７１ｖが新設外上枠１４２の傾斜延出片１４２ｆに係合して上額縁１７の上昇が規制される。このため上額縁１７が作業者により上方から押さえられることなく、ビス２０を下方から螺合するだけで新設外上枠１４２と上額縁１７とを容易に接合することが可能である。
【００４７】
このとき、新設外上枠１４２と上額縁１７とが接合される前に、ビス２０により上額縁１７が押圧されて上額縁１７が、上額縁１７の上カバー延出片１７１ｏおよび下延出部１７１ｖが新設外上枠１４２の外突出片１４２ｉおよび傾斜延出片１４２ｆに係合する位置まで移動したとしても、ビス２０は上額縁１７に螺合可能なので、一方側からの作業により確実に新設外上枠１４２と上額縁１７とを接合することが可能である。特に本実施形態のように、下方からの作業により高い位置で２つの部材を接合する場合には、手が届きにくい上方から部材を押さえる必要がないので、より容易に取り付けることが可能である。
【００４８】
また、新設外上枠１４２に設けられた外突出片１４２ｉと傾斜延出片１４２ｆ、上額縁１７に設けられた上カバー延出片１７１ｏと下延出部１７１ｖとは、見込み方向において互いに間隔を隔てた位置にて上下に対向するので、ビス２０に押圧された上額縁１７が新設外上枠１４２に対して大きく傾かない。このため、上額縁１７が安定した状態を維持したままで新設外上枠１４２と接合することが可能である。
【００４９】
また、新設外上枠１４２側から進入するビス２０は、上額縁１７のビス螺合部１７１ｐに螺合される前に、その手前に設けられたビス案内部１７１ｔに係合する。係合したビス案内部１７１ｔは手前側から奥側に向かって漸次狭くなるように形成されているので、ビス２０を螺合し締め込むことにより、新設外上枠１４２と上額縁１７とを適切な位置に配置して接合することが可能である。
【００５０】
また、新設外上枠１４２と上額縁１７とが接合された状態では、枠隆起部１４２ｋ、１４２ｌは、外突出片１４２ｉおよび傾斜延出片１４２ｆにおける額縁隆起部１７１ｒ、１７１ｓと対向する位置より先端側に位置している。このとき、額縁隆起部１７１ｒ、１７１ｓは、上カバー延出片１７１ｏおよび下延出部１７１ｖが枠隆起部１４２ｋ、１４２ｌと対向する位置より先端側に位置している。このため、新設外上枠１４２と上額縁１７とが接合されるときに、上額縁１７の上カバー延出片１７１ｏおよび下延出部１７１ｖが新設外上枠１４２の外突出片１４２ｉおよび傾斜延出片１４２ｆに係合すると、枠隆起部１４２ｋ、１４２ｌと額縁隆起部１７１ｒ、１７１ｓとにより新設外上枠１４２と上額縁１７との交差方向への相対移動が規制され、新設外上枠１４２と上額縁１７との係合が外れ難いので、新設外上枠１４２と上額縁１７とを、より容易に接合することが可能である。
【００５１】
また、上額縁１７には、下延出部１７１ｖの先端の額縁隆起部１７１ｓと傾斜面１７１ｕにより繋がって隆起方向と反対側に窪む窪み１７１ｑが設けられているので、新設外上枠１４２と上額縁１７とが接合されるときに、枠隆起部１４２ｌを、額縁隆起部１７１ｓと傾斜面１７１ｕにより繋がった窪み１７１ｑに案内しつつ接合することが可能である。このため、新設外上枠１４２と上額縁１７とを、より正確に位置決めして接合することが可能である。
【００５２】
上記実施形態においては、下延出部１７１ｖに設けられた額縁隆起部１７１ｓと傾斜面１７１ｕで繋がった窪み１７１ｑを備えた例について説明したが、窪みは、外突出片１４２ｉ、傾斜延出片１４２ｆ、上カバー延出片１７１ｏのいずれに設けてもよいし、複数箇所に設けられていてもよい。
【００５３】
また、上記実施形態においては、ビス２０の進入方向に対向する部位を交差方向に間隔を隔てて２箇所設けた例について説明したが、２箇所に限るものではない。また、上記実施形態にいては、ビス２０の進入方向に対向する部位を、交差方向においてビス螺合部１７１ｐを挟むように配置した例について説明したが、必ずしもビス螺合部の両側に設けられていなくともよい。
【００５４】
また、上記実施形態においては、接合する２つの部材を新設上枠１４と上額縁１７としたが、これに限らず、建具の枠、ベランダおよびカーポートなどの庇に取り付ける装飾材など２つの部材を重ねで一方側から進入するビスにより接合する部材であれば構わない。
【００５５】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５６】
１４  新設上枠、１７  上額縁、２０  ビス、１４１  新設内上枠、
１４２ｆ  傾斜延出片、１４２ｈ  壁部、１４２ｉ  外突出片、
１４２ｋ  枠隆起部、１４２ｌ  枠隆起部、１７１ｎ  凹部垂設部、
１７１ｏ  上カバー延出片、１７１ｐ  螺合部、１７１ｑ  窪み、
１７１ｒ  額縁隆起部、１７１ｓ  額縁隆起部、１７１ｔ  ビス案内部、
１７１ｕ  傾斜面、１７１ｖ  下延出部、Ｓ  間隔
【図１】
0006433813.tif 000002
【図２】
0006433813.tif 000003
【図３】
0006433813.tif 000004
【図４】
0006433813.tif 000005
【図５】
0006433813.tif 000006
【図６】
0006433813.tif 000007
【図７】
0006433813.tif 000008
【図８】
0006433813.tif 000009
【図９】
0006433813.tif 000010